(57)【要約】【課題】医師の撮影指示の元に撮影対象患者を撮影する際に、撮影者や撮影対象患者の負担を軽減する仕組みを提供する。【解決手段】被写体である撮影対象患者を撮影する撮影装置１３０を含む撮影処理システム１００において、撮影対象患者の複数の部位を撮影する撮影指示を入力する撮影指示入力部１１１と、撮影対象患者の現在の体位または撮影対象患者の撮影する部位の位置に基づいて、撮影指示入力部１１１で入力した撮影指示で指示された撮影する部位の順序を並べ換える並べ換え部１３３と、並べ換え部１３３で並べ換えられた順序で撮影を行う撮影指示を撮影装置１３０の表示画面に表示する表示部１３５を備える。【選択図】図１
2014078845.tif 000002
【特許請求の範囲】
【請求項１】
被写体を撮影する撮影装置を含む撮影処理システムであって、
被写体の複数の部位を撮影する撮影指示を入力する撮影指示入力手段と、
被写体の現在の体位または被写体の撮影する部位の位置に基づいて、前記撮影指示入力手段で入力した撮影指示で指示された撮影する部位の順序を並べ換える並べ換え手段と、
前記並べ換え手段で並べ換えられた順序で撮影を行う撮影指示を前記撮影装置の表示画面に表示する表示手段と
を有することを特徴とする撮影処理システム。
【請求項２】
前記並べ換え手段は、被写体の現在の体位からの体位変換が最小となるように、前記並べ換えを行うことを特徴とする請求項１に記載の撮影処理システム。
【請求項３】
前記並べ換え手段は、被写体の撮影する部位の位置に基づく前記撮影装置の移動距離が最小となるように、前記並べ換えを行うことを特徴とする請求項１に記載の撮影処理システム。
【請求項４】
前記表示手段は、撮影指示として撮影部位および撮影体位を表示することを特徴とする請求項１乃至３のいずれか１項に記載の撮影処理システム。
【請求項５】
前記表示画面に表示された撮影指示に基づき前記撮影装置で撮影された被写体の各部位の撮影画像を、前記撮影指示入力手段で入力した撮影指示で指示された撮影する部位の順序に従って格納する画像格納手段を更に有することを特徴とする請求項１乃至４のいずれか１項に記載の撮影処理システム。
【請求項６】
被写体を撮影する撮影装置を含む撮影処理システムにおける撮影処理方法であって、
被写体の複数の部位を撮影する撮影指示を入力する撮影指示入力ステップと、
被写体の現在の体位または被写体の撮影する部位の位置に基づいて、前記撮影指示入力ステップで入力した撮影指示で指示された撮影する部位の順序を並べ換える並べ換えステップと、
前記並べ換えステップで並べ換えられた順序で撮影を行う撮影指示を前記撮影装置の表示画面に表示する表示ステップと
を有することを特徴とする撮影処理方法。
【請求項７】
被写体を撮影する撮影装置を含む撮影処理システムにおける撮影処理方法をコンピュータに実行させるためのプログラムであって、
被写体の複数の部位を撮影する撮影指示を入力する撮影指示入力ステップと、
被写体の現在の体位または被写体の撮影する部位の位置に基づいて、前記撮影指示入力ステップで入力した撮影指示で指示された撮影する部位の順序を並べ換える並べ換えステップと、
前記並べ換えステップで並べ換えられた順序で撮影を行う撮影指示を前記撮影装置の表示画面に表示する表示ステップと
をコンピュータに実行させるためのプログラム。
【請求項８】
請求項７に記載のプログラムを記憶したことを特徴とするコンピュータ読み取り可能な記憶媒体。
【発明の詳細な説明】
【技術分野】
【０００１】
本発明は、被写体を撮影する撮影装置を含む撮影処理システム、当該撮影処理システムにおける撮影処理方法、当該撮影処理方法をコンピュータに実行させるためのプログラム、及び、当該プログラムを記憶したコンピュータ読み取り可能な記憶媒体に関する。
【背景技術】
【０００２】
近年、病院等の医療機関において情報化が進み、患者の診断情報を管理する電子カルテを導入する機関が増えている。電子カルテでは、患者の診断履歴情報、投薬情報、手術情報、患部画像、Ｘ線画像等が一元管理され、データの共有や再利用が簡単にできるようになってきている。また、近年のストレージの大容量化によって、患部等のデジタル画像を大量に撮影して電子カルテに格納できるようになった。
【０００３】
このような環境の中で、デジタルカメラを利用して患者を撮影し、撮影した画像を診療の記録として電子カルテに格納するような利用法が頻繁に行われている。特に、皮膚科や外科、介護の現場では、患者の傷口や手術痕、褥瘡（床ずれ）を定期的にデジタルカメラで撮影し、患部の経時変化を観察することが行われている。
【０００４】
このようなデジタルカメラの利用シーンでは、必ずしも診察した医師が患者の撮影を行うとは限らない。例えば、医師の指示の元に、院内の撮影スタッフや看護師、或いは院外の訪問看護師や介護士等が患者の撮影を行う場合がある。この場合、医師が撮影対象の患者の名前やＩＤ等の基本情報に加えて、撮影部位、撮影枚数等の撮影指示を発行し、撮影者が医師の指示を確認しながら撮影する必要がある。
【０００５】
このような利用シーンに対し、下記の特許文献１では、医師の撮影オーダ発行の際に患者の３次元画像を画面に表示し、医師が画像上の撮影部位を直接指定することにより簡単にオーダが発行される患者部位指定入力方法が提案されている。
【先行技術文献】
【特許文献】
【０００６】
【特許文献１】特開２００１−６０２３９号公報
【発明の概要】
【発明が解決しようとする課題】
【０００７】
しかしながら、上記の特許文献１においては、医師の撮影オーダ発行のみに言及しており、撮影者が撮影オーダを確認しながらどのように撮影するのかについては言及されていない。
【０００８】
撮影者は医師のオーダに従って患部を撮影する必要があるが、必ずしも医師のオーダ発行順序が現地で撮影しやすい順序とは限らない。医師が撮影された画像を見たい順序と撮影者が撮影しやすい順序とは異なることもあり得る。例えば、撮影順序によっては、カメラの移動や撮影対象患者の体位移動が頻繁に起こる可能性がある。
【０００９】
本発明は、このような問題点に鑑みてなされたものであり、医師の撮影指示の元に被写体である撮影対象患者を撮影する際に、撮影者や撮影対象患者の負担を軽減する仕組みを提供することを目的とする。
【課題を解決するための手段】
【００１０】
本発明の撮影処理システムは、被写体を撮影する撮影装置を含む撮影処理システムであって、被写体の複数の部位を撮影する撮影指示を入力する撮影指示入力手段と、被写体の現在の体位または被写体の撮影する部位の位置に基づいて、前記撮影指示入力手段で入力した撮影指示で指示された撮影する部位の順序を並べ換える並べ換え手段と、前記並べ換え手段で並べ換えられた順序で撮影を行う撮影指示を前記撮影装置の表示画面に表示する表示手段とを有する。
また、本発明は、上述した撮影処理システムにおける撮影処理方法、及び、当該における撮影処理方法をコンピュータに実行させるためのプログラム、並びに、当該プログラムを記憶するコンピュータ読み取り可能な記憶媒体を含む。
【発明の効果】
【００１１】
本発明によれば、医師の撮影指示の元に被写体である撮影対象患者を撮影する際に、撮影者や撮影対象患者の負担を軽減することができる。
【図面の簡単な説明】
【００１２】
【図１】本発明の第１の実施形態に係る撮影処理システムの概略構成の一例を示す模式図である。
【図２】本発明の第１の実施形態に係る撮影処理システムにおける撮影処理方法の処理手順の一例を示すフローチャートである。
【図３】本発明の第１の実施形態を示し、医師が入力する撮影指示の一例を示す模式図である。
【図４】図２のステップＳ２０２における撮影処理の詳細な処理手順の一例を示すフローチャートである。
【図５】図４のステップＳ４０４における撮影指示を表示するユーザインタフェースの一例を示す模式図である。
【図６】本発明の第１の実施形態を示し、体位変換の負荷を表すテーブルを示す模式図である。
【図７】本発明の第１の実施形態を示し、撮影部位とその部位を撮影可能な体位を表すテーブルを示す模式図である。
【図８】本発明の第１の実施形態を示し、各患者について、その患者ができない（難しい）体位とその理由を表すテーブルを示す模式図である。
【図９】本発明の第１の実施形態を示し、図４のステップＳ４０３における撮影指示並び換え処理の詳細な処理手順の一例を示すフローチャートである。
【図１０】本発明の第２の実施形態を示し、撮影指示部位と撮影時の並び換え方法の一例を示す模式図である。
【図１１】本発明の第２の実施形態を示し、図４のステップＳ４０３における撮影指示並び換え処理の詳細な処理手順の一例を示すフローチャートである。
【発明を実施するための形態】
【００１３】
以下に、図面を参照しながら、本発明を実施するための形態（実施形態）について説明する。
【００１４】
（第１の実施形態）
本実施形態は、医師の撮影指示に基づき、訪問看護師や介護士等の撮影者が撮影装置であるデジタルカメラを用いて、被写体である撮影対象患者の体位変換を行いながら撮影対象患者を撮影する場合を想定した形態である。
【００１５】
＜撮影処理システムの構成＞
図１は、本発明の第１の実施形態に係る撮影処理システムの概略構成の一例を示す模式図である。
本実施形態に係る撮影処理システム１００は、図１に示すように、クライアント装置１１０、画像管理サーバ装置１２０、撮影装置１３０、ネットワーク１４０、及び、無線ネットワーク１５０を有して構成されている。
【００１６】
ここで、クライアント装置１１０と画像管理サーバ装置１２０とは、ネットワーク１４０を通じて通信接続されている。また、画像管理サーバ装置１２０と撮影装置１３０とは、無線ネットワーク１５０を通じて無線通信接続されている。
【００１７】
クライアント装置１１０は、医師が利用する装置である。このクライアント装置１１０は、撮影指示入力部１１１、及び、画像表示部１１２を有して構成されている。撮影指示入力部１１１は、医師が撮影オーダ（撮影指示）を発行（入力）するための入力手段である。画像表示部１１２は、医師が撮影画像を閲覧するために撮影画像を表示する表示手段である。
【００１８】
画像管理サーバ装置１２０は、撮影画像を管理する装置である。この画像管理サーバ装置１２０は、撮影指示格納部１２１、及び、画像格納部１２２を有して構成されている。撮影指示格納部１２１は、クライアント装置１１０（撮影指示入力部１１１）に入力された撮影指示を格納する格納手段である。画像格納部１２２は、撮影装置１３０（撮影部１３４）で撮影された撮影画像を格納する格納手段である。
【００１９】
撮影装置１３０は、被写体である撮影対象患者を撮影するカメラ（具体的には汎用デジタルカメラ）である。この撮影装置１３０は、記憶部１３１、入力部１３２、撮影指示並び換え部１３３、撮影部１３４、表示部１３５、及び、画像格納制御部１３６を有して構成されている。記憶部１３１は、各種の情報や各種のデータ、各種のテーブル等を記憶する記憶手段である。入力部１３２は、撮影者が各種の情報や各種の指示等を入力するための入力手段である。撮影指示並び換え部１３３は、撮影指示入力部１１１に入力された撮影指示（撮影指示格納部１２１に格納されている撮影指示）の並び換えを行う手段である。撮影部１３４は、レンズ等の光学系を通した被写体の光学像を電子的な画像に変換する撮像センサを備える撮影手段である。表示部１３５は、撮影部１３４の撮像センサから得られるライブビュー画像及び撮影画像を表示する液晶表示画面を備える表示手段である。画像格納制御部１３６は、撮影指示入力部１１１に入力された撮影指示（撮影指示格納部１２１に格納されている撮影指示）の順序に従って、撮影部１３４で撮影された撮影画像を画像格納部１２２に格納する制御を行う制御手段である。
【００２０】
ネットワーク１４０は、クライアント装置１１０と画像管理サーバ装置１２０とを通信接続する通信網である。
【００２１】
無線ネットワーク１５０は、画像管理サーバ装置１２０と撮影装置１３０とを無線通信接続する通信網である。
【００２２】
＜撮影処理方法の処理手順＞
図２は、本発明の第１の実施形態に係る撮影処理システムにおける撮影処理方法の処理手順の一例を示すフローチャートである。
【００２３】
医師がクライアント装置１１０の撮影指示入力部１１１に対して撮影指示を入力すると、ステップＳ２０１において、クライアント装置１１０は、当該入力された撮影指示を受け付ける。その後、クライアント装置１１０は、当該撮影指示を、ネットワーク１４０を通して画像管理サーバ装置１２０に送信し、画像管理サーバ装置１２０は、受信した撮影指示を撮影指示格納部１２１に格納する。ここで、医師が入力する撮影指示の一例について図３を用いて説明する。
【００２４】
図３は、本発明の第１の実施形態を示し、医師が入力する撮影指示の一例を示す模式図である。
撮影指示３００には、図３に示すように、患者名、患者ＩＤ、年齢、性別等の撮影対象患者の患者基本情報と、指示医名、撮影方法、撮影部位（撮影患部）、注意事項等の撮影情報が含まれる。図３に示す例では、単純に撮影部位を複数列挙しているが、各撮影部位に対して撮影枚数や撮影角度、撮影理由、注意事項等を詳細に設定するようにしてもよい。
【００２５】
ここで、図２の説明に戻る。
【００２６】
続いて、ステップＳ２０２において、撮影装置１３０は、まず、無線ネットワーク１５０を通して画像管理サーバ装置１２０の撮影指示格納部１２１から撮影指示を読み込む（ロードする）。その後、撮影装置１３０は、撮影指示の並び換えを行った後、当該並び換えを行った撮影指示を表示部１３５に表示する。その後、撮影者が表示部１３５に表示された撮影指示に従って撮影を行うと、撮影装置１３０は、撮影対象患者の撮影処理を行う。そして、撮影装置１３０は、撮影処理により得た撮影対象患者の撮影画像を、無線ネットワーク１５０を介して画像管理サーバ装置１２０に送信し、画像格納部１２２に格納させる。このステップＳ２０２の詳細な処理手順については、図４を用いて後述する。
【００２７】
続いて、ステップＳ２０３において、クライアント装置１１０は、画像管理サーバ装置１２０の画像格納部１２２に格納されている撮影画像を医師が閲覧できるように当該撮影画像を画像表示部１１２に表示する処理を行う。この際、画像表示部１１２には、医師が撮影指示した順序で撮影画像が表示され閲覧することができる。本ステップでは、クライアント装置１１０は、ネットワーク１４０を介して画像管理サーバ装置１２０の画像格納部１２２にある撮影画像を画像表示部１１２に閲覧可能に表示する。
【００２８】
ステップＳ２０３の処理が終了すると、図２のフローチャートの処理が終了する。
【００２９】
＜撮影処理＞
図４は、図２のステップＳ２０２における撮影処理の詳細な処理手順の一例を示すフローチャートである。
【００３０】
まず、ステップＳ４０１において、撮影装置１３０は、無線ネットワーク１５０を通して画像管理サーバ装置１２０から撮影指示格納部１２１に格納されている撮影指示を、例えば記憶部１３１にロードする。ここで、画像管理サーバ装置１２０と撮影装置１３０とは、Ｂｌｕｅｔｏｏｔｈ（登録商標）に代表される短距離無線通信や赤外線通信等の無線ネットワーク１５０で接続されている。
【００３１】
続いて、撮影者が撮影装置１３０の入力部１３２に対して撮影現場での撮影対象患者の現在の体位を初期体位として入力すると、ステップＳ４０２において、撮影装置１３０は、当該入力された初期体位を設定する。ここで、初期体位を入力する入力部１３２は、初期体位入力手段を構成する。なお、初期体位の入力は、撮影者が撮影装置１３０の表示部１３５（液晶表示画面）上で入力するものとし、例えば、テキスト入力してもよいし、また、プルダウンメニューで定義された体位から選択して入力してもよい。このように、撮影対象患者の初期体位を入力することにより、撮影対象患者の現在の体位からなるべく体位変換のない撮影順序を計算することができる。
【００３２】
続いて、ステップＳ４０３において、撮影装置１３０の撮影指示並び換え部１３３は、ステップＳ４０１でロードした撮影指示を、ステップＳ４０２で設定した初期体位に対して体位変換が最も少ない順番に並び換える処理を行う。このステップＳ４０３の詳細な処理手順については、図９を用いて後述する。
【００３３】
続いて、ステップＳ４０４において、撮影装置１３０は、表示部１３５に、次に撮影すべき撮影部位の撮影指示を表示する。ここでは、例えば後述する図５のように、撮影装置１３０のファインダから覗いたライブビュー画像に重畳して撮影指示を表示してもよい。
【００３４】
続いて、撮影者が撮影ボタンを押下すると、ステップＳ４０５において、撮影装置１３０の撮影部１３４は、レンズから取り込んだ被写体（撮影対象患者）の光学像を電子的な画像に変換して撮影画像を得る撮影処理を行う。
【００３５】
続いて、ステップＳ４０６において、撮影装置１３０（例えば撮影部１３４）は、ステップＳ４０５の撮影処理で得られた撮影画像に対し、撮影情報をメタデータとして付与する。本ステップで付与する撮影情報としては、撮影日時や撮影場所のような撮影時に得られる情報に加えて、撮影対象患者の患者基本情報や撮影部位等の撮影指示から得られる情報である。撮影画像に撮影情報を付与することで、例えば、後日「右肘頭」のようなキーワードで撮影部位を指定して撮影画像を検索することができる。
【００３６】
続いて、ステップＳ４０７において、撮影装置１３０は、全ての撮影指示に対して撮影を終了したか否かを判断する。
【００３７】
ステップＳ４０７の判断の結果、全ての撮影指示に対しては未だ撮影を終了していない場合には、ステップＳ４０４に戻り、次に撮影すべき撮影部位の撮影指示を表示して、ステップＳ４０４以降の処理を再度行う。
【００３８】
一方、ステップＳ４０７の判断の結果、全ての撮影指示に対して撮影を終了した場合には、ステップＳ４０８に進む。
ステップＳ４０８に進むと、撮影装置１３０の画像格納制御部１３６は、ステップＳ４０５の撮影処理で得られた撮影画像を、撮影者による撮影順ではなく医師の撮影指示順で、画像管理サーバ装置１２０の画像格納部１２２に格納する制御を行う。
【００３９】
ステップＳ４０８の処理が終了すると、図４のフローチャートの処理が終了する。
【００４０】
図５は、図４のステップＳ４０４における撮影指示を表示するユーザインタフェースの一例を示す模式図である。
図５において、汎用デジタルカメラである撮影装置１３０には、液晶表示画面５０１や、撮影ボタン５０２が設けられている。
【００４１】
液晶表示画面５０１は、レンズを通して見える映像をライブビューとして表示しており、タッチパネル操作で入力が可能となっている。
【００４２】
撮影者が撮影ボタン５０２を押下すると、撮影装置１３０は、レンズから取り込んだ被写体（撮影対象患者）の光学像を電子的な画像に変換して撮影画像を得る撮影処理を行う。
【００４３】
液晶表示画面５０１には、以下の５０３〜５０７の構成が設けられている。
【００４４】
表示領域５０３は、撮影者が次に撮影すべき撮影体位及び撮影部位を表示する領域である。
【００４５】
表示領域５０４は、表示領域５０３に示された撮影体位及び撮影部位に係る撮影指示を人体図上に図示して表示する領域である。例えば、撮影装置１３０の記憶部１３１に、複数の人体図セットと、それぞれの人体図上の座標と部位の組み合わせをインデックスとして記憶させておき、表示領域５０３に示された撮影体位に対応する人体図に対し、撮影部位に対応する座標上にマーキングをする。
【００４６】
前の指示ボタン５０５は、前の撮影指示を表示するためのボタンであり、次の指示ボタン５０６は、次の撮影指示を表示するためのボタンである。基本的に、撮影が行われると自動的に次の指示が液晶表示画面５０１に表示されることになるが、前の指示ボタン５０５及び次の指示ボタン５０６を選択することで手動により指示を見ることもできる。
【００４７】
表示領域５０７は、全ての撮影指示のうち、現在、何番目の撮影指示の撮影を行っているのかを表示する領域である。
【００４８】
この図５に示すように、撮影装置１３０の液晶表示画面５０１に表示されたライブビュー画像に重畳して撮影指示を表示することで、撮影者は、指示通りの部位を指示通りの順番で撮影するだけで、全ての撮影指示に含まれる画像の撮影を終了することができる。
【００４９】
＜撮影指示並び換え処理＞
図６〜図８は、本発明の第１の実施形態を示し、図４のステップＳ４０３における撮影指示並び換え処理に使用するテーブルを示す模式図である。
【００５０】
具体的に、図６は、本発明の第１の実施形態を示し、体位変換の負荷を表すテーブルを示す模式図である。この図６に示すテーブルは、例えば、撮影装置１３０の記憶部１３１に記憶されている。
【００５１】
体位６０１には体位変換前の体位が示されており、体位６０２には体位変換後の体位が示されている。図６に示す例では、体位６０１及び６０２には、それぞれ、「仰臥位」、「右側臥位」、「左側臥位」、「腹臥位」、「半座位」、「端座位」、「イス座位」及び「立位」の体位が予め定められている。そして、図６に示す例では、体位６０１及び６０２の各体位に対し、２つの体位間の移動しやすさがマトリクスの交点に負荷係数６０３として保持されている。ここでは、負荷係数６０３は、２つの体位間で体位変換をする際に経由した体位の数としている。例えば、同一の体位である「仰臥位」→「仰臥位」は、体位移動が生じないので、負荷係数は０である。また、例えば、「仰臥位」→「腹臥位」は、左右どちらかの側臥位に１度移動し、その後もう一度体位変換をしないと移動できないので、負荷係数は２である。これら負荷係数を全ての体位間に対して定義する。
【００５２】
また、図７は、本発明の第１の実施形態を示し、撮影部位とその部位を撮影可能な体位を表すテーブルを示す模式図である。この図７に示すテーブルは、例えば、撮影装置１３０の記憶部１３１に記憶されている。
【００５３】
図７では、撮影部位７０１に対して、その部位を撮影可能な体位７０２を予め対応づけて格納している。このテーブルにより、撮影指示された撮影部位から高速に撮影可能な体位を取得することができる。
【００５４】
また、図８は、本発明の第１の実施形態を示し、各患者について、その患者ができない（難しい）体位とその理由を表すテーブルを示す模式図である。この図８に示すテーブルは、例えば、撮影装置１３０の記憶部１３１に記憶されている。
【００５５】
図８では、患者名８０１の各患者について、その患者ができない（難しい）体位８０２とその理由８０３が格納されている。これらの情報は、医師が撮影指示を出す際に入力した情報に基づいて取得してもよいし、電子カルテや看護日誌の所定の欄から抽出して取得してもよい。
【００５６】
図９は、本発明の第１の実施形態を示し、図４のステップＳ４０３における撮影指示並び換え処理の詳細な処理手順の一例を示すフローチャートである。
【００５７】
まず、ステップＳ９０１において、撮影装置１３０の撮影指示並び換え部１３３は、画像管理サーバ装置１２０の撮影指示格納部１２１に格納されている撮影指示（図４のステップＳ４０１でロードした撮影指示）から、撮影対象患者の患者情報を取得する。ここで取得する患者情報としては、例えば、図３に示す患者基本情報が挙げられる。
【００５８】
続いて、ステップＳ９０２において、撮影装置１３０の撮影指示並び換え部１３３は、撮影装置１３０の記憶部１３１に記憶されている禁則情報（図８に示す、撮影対象患者ができない（難しい）体位を示す情報）を取得する。
【００５９】
その後、撮影者が撮影装置１３０の液晶表示画面上で撮影対象患者の現在の体位を入力する（入力部１３２に対して撮影対象患者の現在の体位を入力する）。そうすると、ステップＳ９０３において、撮影装置１３０の撮影指示並び換え部１３３は、撮影対象患者の現在の体位を撮影対象患者の初期体位として取得する。なお、撮影対象患者の現在の体位（初期体位）の入力は、タッチパネルに表示する仮想キーボードにより入力してもよいし、予め決められた複数の体位の中からプルダウンメニューで選択して入力するようにしてもよい。
【００６０】
続いて、ステップＳ９０４において、撮影装置１３０の撮影指示並び換え部１３３は、画像管理サーバ装置１２０の撮影指示格納部１２１に格納されている撮影指示（図４のステップＳ４０１でロードした撮影指示）から、撮影部位を取得する。
【００６１】
続いて、ステップＳ９０５において、撮影装置１３０の撮影指示並び換え部１３３は、ステップＳ９０１で取得した患者情報における患者に対し、図６に示す体位変換負荷テーブルから、ステップＳ９０２で取得した禁則情報における体位（禁則体位）を除外する。これにより、患者が楽に撮影できる体位だけを指示することができる。
【００６２】
続いて、ステップＳ９０６において、撮影装置１３０の撮影指示並び換え部１３３は、撮影指示に含まれる全ての撮影部位を包含する体位の最小集合Ｘを抽出する処理を行う。ここで、ステップＳ９０３で得られた初期体位が「仰臥位」であり、撮影指示に含まれる撮影部位が図３に示す｛右肘頭、左肘頭、右臀部、左膝蓋｝であったとする。この場合、本ステップでは、図７に示すテーブルを参照して、その部位を撮影可能な体位７０２から全ての撮影部位を包含する体位の組み合わせを抽出する。
【００６３】
ここで、最小集合Ｘは、例えば、以下のような体位の組み合わせになる。
Ｘ＝｛｛仰臥位，左側臥位｝，｛仰臥位，腹臥位｝，｛立位｝｝
上記の３つの要素は説明のために抽出した例であり、本フローチャートでは、全ての組み合わせを処理する。
【００６４】
続いて、ステップＳ９０７において、撮影装置１３０の撮影指示並び換え部１３３は、最小集合Ｘの要素毎に体位の負荷係数の和（負荷）を計算する。ここで、体位Ａから体位Ｂへの体位移動負荷をＬ｛Ａ，Ｂ｝とし、図６に示す体位変換負荷テーブルを参照すると、初期体位は「仰臥位」であるから、上記の３つの要素の場合の負荷は、以下のようになる。
Ｌ｛仰臥位，左側臥位｝＝１
Ｌ｛仰臥位，腹臥位｝＝２
Ｌ｛仰臥位，立位｝＝３
【００６５】
続いて、ステップＳ９０８において、撮影装置１３０の撮影指示並び換え部１３３は、ステップＳ９０６で抽出した最小集合Ｘの全ての要素について計算したか否かを判断する。
【００６６】
ステップＳ９０８の判断の結果、ステップＳ９０６で抽出した最小集合Ｘの全ての要素については未だ計算していない場合には、ステップＳ９０７に戻り、未だ計算を行っていない要素について計算を行う処理が実行される。
【００６７】
一方、ステップＳ９０８の判断の結果、ステップＳ９０６で抽出した最小集合Ｘの全ての要素について計算した場合には、ステップＳ９０９に進む。
ステップＳ９０９に進むと、撮影装置１３０の撮影指示並び換え部１３３は、ステップＳ９０７で計算した負荷が最小となる要素を取得する。ここで、本例では、ステップＳ９０７の計算により、負荷が最小となる体位の移動順序は、｛仰臥位，左側臥位｝である。したがって、この場合、撮影装置１３０の撮影指示並び換え部１３３は、撮影指示｛右肘頭、左肘頭、右臀部、左膝蓋｝を、
１．仰臥位により右肘頭
２．仰臥位により左肘頭
３．仰臥位により左膝蓋
４．左側臥位により右臀部
のように並べ換える。
上記１〜３の順番に関しては、人体の上部から下部へ移動するように予め決めておいてもよいし、或いは、後述する第２の実施形態の場合のように、撮影装置１３０の移動距離が最小となる順番としてもよい。
【００６８】
続いて、ステップＳ９１０において、撮影装置１３０の撮影指示並び換え部１３３は、それぞれの体位の人体図（図５の表示領域５０４に表示される人体図）に撮影部位を図示する。
【００６９】
ステップＳ９１０の処理が終了すると、図９のフローチャートの処理が終了する。
【００７０】
その後、図４のステップＳ４０４において、ステップＳ９０９で並び換えた撮影部位の順序で撮影体位が撮影者に提示されることになる。
【００７１】
本実施形態によれば、撮影装置１３０による撮影対象患者の撮影に際し、撮影対象患者の体位移動を最小化する撮影順序を提示することによって、撮影対象患者の負担及び撮影者の負担を軽減することができる。さらに、撮影順序の並び換えが起こっても、最終的には、医師の撮影指示順に撮影画像が画像管理サーバ装置１２０の画像格納部１２２格納されるので、医師は見たい順に撮影画像を閲覧することができる。
【００７２】
（第２の実施形態）
第１の実施形態では、医師から指示された撮影部位を撮影するために撮影対象患者の体位変換が必要な場合について説明を行ったが、本実施形態では、撮影体位が予め決まっている場合を想定した形態である。そして、本実施形態は、主として撮影者の負担を軽減する観点に着目したものであり、撮影者の負担を軽減することで撮影時間の短縮等により、併せて撮影対象患者の負担の軽減も図るようにしている。
【００７３】
本実施形態は、例えば、病院内で医師が問診・診察を終えて撮影指示を出し、撮影技師や看護師等の撮影者が撮影装置であるデジタルカメラを用いて患者を撮影する。被写体となる撮影対象患者の体位は、立位またはイス座位のように予め決まっている。
【００７４】
なお、以下の第２の実施形態の説明では、第１の実施形態と同様の内容については説明を省略し、第１の実施形態の内容と異なる部分について説明を行う。
【００７５】
図１０は、本発明の第２の実施形態を示し、撮影指示部位と撮影時の並び換え方法の一例を示す模式図である。
ここでは、図１０に示すように、撮影対象患者が立位の状態で、医師が「指示部位[1]」、「指示部位[2]」、「指示部位[3]」、「指示部位[4]」の順序で撮影指示を発行したものとする。この場合、本実施形態では、図４のステップＳ４０３における撮影指示並び換え処理において、撮影対象患者の撮影する指示部位の位置を考慮して、撮影現場で撮影しやすい順序に並び換える。ここでの並び換えの基準は、撮影対象患者の撮影する指示部位の位置に基づく撮影装置１３０の移動（移動距離）が最も少ない順であり、例えば、「指示部位[1]」、「指示部位[2]」、「指示部位[4]」、「指示部位[3]」の順である。
【００７６】
図１１は、本発明の第２の実施形態を示し、図４のステップＳ４０３における撮影指示並び換え処理の詳細な処理手順の一例を示すフローチャートである。
【００７７】
まず、ステップＳ１１０１において、撮影装置１３０の撮影指示並び換え部１３３は、画像管理サーバ装置１２０の撮影指示格納部１２１に格納されている撮影指示（図４のステップＳ４０１でロードした撮影指示）から、撮影対象患者の患者情報を取得する。ここで取得する患者情報としては、例えば、図３に示す患者基本情報が挙げられる。
【００７８】
続いて、ステップＳ１１０２において、撮影装置１３０の撮影指示並び換え部１３３は、画像管理サーバ装置１２０の撮影指示格納部１２１に格納されている撮影指示（図４のステップＳ４０１でロードした撮影指示）から、撮影部位を取得する。即ち、医師が指示した撮影部位を取得する。
【００７９】
続いて、ステップＳ１１０３において、撮影装置１３０の撮影指示並び換え部１３３は、撮影部位間の距離を示す負荷係数を取得する。図６に示すテーブルは、体位間の移動負荷を要素として持つマトリクスであったが、本実施形態では、図６の６０１及び６０２を撮影部位として、人体上の撮影部位間の距離を負荷係数６０３とするテーブルを予め撮影装置１３０の記憶部１３１に保持しておく。本実施形態の場合、負荷係数が大きい程、人体上で距離が遠いことを意味する。
【００８０】
続いて、ステップＳ１１０４において、撮影装置１３０の撮影指示並び換え部１３３は、ステップＳ１１０３で取得した負荷係数を用いて、撮影指示に含まれる全ての撮影部位を撮影するある撮影順序ついて負荷を計算する。
【００８１】
続いて、ステップＳ１１０５において、撮影装置１３０の撮影指示並び換え部１３３は、全ての撮影順序について計算したか否かを判断する。
【００８２】
ステップＳ１１０５の判断の結果、全ての撮影順序については未だ計算していない場合には、ステップＳ１１０４に戻り、未だ計算を行っていない撮影順序について計算を行う処理が実行される。
【００８３】
一方、ステップＳ１１０５の判断の結果、全ての撮影順序について計算した場合には、ステップＳ１１０６に進む。
ステップＳ１１０６に進むと、撮影装置１３０の撮影指示並び換え部１３３は、ステップＳ１１０４で計算した負荷が最小となる撮影順序を取得する。ここで、図１０に示す例では、撮影装置１３０の移動距離が最も小さい「指示部位[1]」、「指示部位[2]」、「指示部位[4]」、「指示部位[3]」の撮影順序を取得する。
【００８４】
続いて、ステップＳ１１０７において、撮影装置１３０の撮影指示並び換え部１３３は、人体図（図５の表示領域５０４に表示される人体図）に撮影部位とともに撮影順序を図示する。これにより、撮影者は、撮影部位とともに撮影順序を閲覧しながら、撮影対象患者の撮影を行うことができる。
【００８５】
ステップＳ１１０７の処理が終了すると、図１１のフローチャートの処理が終了する。
【００８６】
本実施形態によれば、撮影装置１３０による撮影対象患者の撮影に際し、撮影装置１３０及び撮影者の移動を最小化する撮影順序を提示することによって、撮影者の負担（更には撮影対象患者の負担）を軽減することができる。さらに、撮影順序の並び換えが起こっても、最終的には、医師の撮影指示順に撮影画像が画像管理サーバ装置１２０の画像格納部１２２格納されるので、医師は見たい順に撮影画像を閲覧することができる。
【００８７】
（その他の実施形態）
また、本発明は、以下の処理を実行することによっても実現される。
即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
このプログラム及び当該プログラムを記憶したコンピュータ読み取り可能な記録媒体は、本発明に含まれる。
【００８８】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００８９】
１００  撮影処理システム、１１０  クライアント装置、１１１  撮影指示入力部、１１２  画像表示部、１２０  画像管理サーバ装置、１２１  撮影指示格納部、１２２  画像格納部、１３０  撮影装置、１３１  記憶部、１３２  入力部、１３３  撮影指示並び換え部、１３４  撮影部、１３５  表示部、１３６  画像格納制御部、１４０  ネットワーク、１５０  無線ネットワーク
【図１】
2014078845.tif 000003
【図２】
2014078845.tif 000004
【図３】
2014078845.tif 000005
【図４】
2014078845.tif 000006
【図５】
2014078845.tif 000007
【図６】
2014078845.tif 000008
【図７】
2014078845.tif 000009
【図８】
2014078845.tif 000010
【図９】
2014078845.tif 000011
【図１０】
2014078845.tif 000012
【図１１】
2014078845.tif 000013